(57)【要約】【課題】  多数のユーザに防災情報を簡単に、しかも安価な構成でダウンロードさせて自由に持ち歩けるようにする。【解決手段】  制御部２４は受信機２２により防災情報が受信されたことを検出すると、受信機２２からの防災情報をメモリ２３に蓄積させると共に、ランプ２６を点灯する。ユーザは、自分の携帯電話３０を赤外線受光可能な赤外線モードに切り替え、更に携帯電話３０を赤外線発光素子２７に近付けてスイッチ２５をオンする。制御部２４はスイッチ２５のオンを検出すると、メモリ２３から防災情報のデータを読み出して赤外線発光素子２７に供給し、赤外線発光素子２７が送信する赤外線を防災情報のデータで変調させて送信させる。携帯電話３０の赤外線受光部３１は上記の送信赤外線を受信して、防災情報のデータを得て内部のメモリにダウンロードする。【選択図】            図１
2006059010.tif 000002
【特許請求の範囲】
【請求項１】
上位装置から複数の受信機へ防災情報を送信し、前記複数の受信機はそれぞれ受信した前記防災情報を携帯通信端末へ配信する防災情報配信方法であって、
前記上位装置から送信された前記防災情報を複数の前記受信機がそれぞれ受信する第１のステップと、
前記受信機が受信した前記防災情報を前記携帯通信端末へ近距離送信する第２のステップと、
前記携帯通信端末が、前記防災情報を近距離受信する第３のステップと、
前記携帯通信端末が、受信した前記防災情報をメモリにダウンロードする第４のステップと、
前記第４のステップでダウンロードした前記防災情報を前記携帯通信端末の表示部に表示する第５のステップと
を含むことを特徴とする防災情報配信方法。
【請求項２】
前記第１のステップにより前記受信機が受信した前記防災情報を前記受信機内の記憶部に記憶する第６のステップと、前記記憶部に前記防災情報を記憶した時はユーザに防災情報受信を報知する第７のステップとを更に含み、該第７のステップによる報知後に前記２のステップにより前記受信機が受信した前記防災情報を前記携帯通信端末へ近距離送信することを特徴とする請求項１記載の防災情報配信方法。
【請求項３】
前記第２のステップにより前記受信機が受信した前記防災情報を前記携帯通信端末へ近距離送信する前に、送信モード用のスイッチをオンとする第８のステップを更に含むことを特徴とする請求項２記載の防災情報配信方法。
【請求項４】
前記第２のステップは、前記防災情報で変調された赤外線を発光する処理を行い、前記第３のステップは、該第２のステップで前記受信機が送信した赤外線を受光して前記防災情報を得ることを特徴とする請求項１乃至３のうちいずれか一項記載の防災情報配信方法。
【請求項５】
前記上位装置は市町村役場に設置された指令局装置であり、前記複数の受信機は、前記指令局装置が設置された市町村の各家庭に設置された戸別受信機であることを特徴とする請求項１乃至４のうちいずれか一項記載の防災情報配信方法。
【請求項６】
上位装置から複数の受信機へ防災情報を送信し、前記複数の受信機はそれぞれ受信した前記防災情報を携帯通信端末へ配信する防災情報配信システムであって、
前記受信機は、
前記指令局装置から送信された前記防災情報を受信する受信手段と、
受信した前記防災情報を近距離範囲内で送信する近距離送信手段とを有し、
前記携帯通信端末は、
前記受信機により送信された前記防災情報を、近距離範囲内で受信する近距離受信手段と、
受信した前記防災情報をメモリにダウンロードするダウンロード手段と、
ダウンロードした前記防災情報を表示する表示手段と
を有することを特徴とする防災情報配信システム。
【請求項７】
前記受信機は、前記受信手段により受信した前記防災情報を記憶する記憶手段と、該記憶手段に受信した該防災情報を記憶した時はユーザに防災情報受信を報知する報知手段とを更に有することを特徴とする請求項６記載の防災情報配信システム。
【請求項８】
前記受信機は、前記携帯通信端末に対して前記防災情報を近距離送信するときにオンとされる送信モード用のスイッチを更に有することを特徴とする請求項７記載の防災情報配信システム。
【請求項９】
前記受信機は、前記近距離送信手段として前記防災情報で変調された赤外線を発光する赤外線発光素子を有し、前記携帯通信端末は、前記近距離受信手段として前記赤外線発光素子から送信された赤外線を受光して前記防災情報を得る赤外線受光部を有することを特徴とする請求項６乃至８のうちいずれか一項記載の防災情報配信システム。
【請求項１０】
前記上位装置は市町村役場に設置された指令局装置であり、前記複数の受信機は、前記指令局装置が設置された市町村の各家庭に設置された受信機であることを特徴とする請求項６乃至９のうちいずれか一項記載の防災情報配信システム。
【請求項１１】
指令局装置から複数の戸別受信機へ防災情報を送信し、前記複数の戸別受信機はそれぞれ受信した前記防災情報を携帯通信端末へ配信する防災情報配信システムに用いる戸別受信機であって、
前記指令局装置から送信された前記防災情報を受信する受信手段と、
受信した前記防災情報を近距離範囲内で送信する近距離送信手段とを有することを特徴とする戸別受信機。
【請求項１２】
前記受信手段により受信した前記防災情報を記憶する記憶手段と、該記憶手段に受信した該防災情報を記憶した時はユーザに防災情報受信を報知する報知手段とを更に有することを特徴とする請求項１１記載の戸別受信機。
【請求項１３】
前記携帯通信端末に対して前記防災情報を近距離送信するときにオンとされる送信モード用のスイッチを更に有することを特徴とする請求項１２記載の戸別受信機。
【請求項１４】
前記近距離送信手段は、前記防災情報で変調された赤外線を発光する赤外線発光素子であることを特徴とする請求項１１乃至１３のうちいずれか一項記載の戸別受信機。
【請求項１５】
前記赤外線発光素子は、戸別受信機本体のイヤホンジャックに挿着されることを特徴とする請求項１４記載の戸別受信機。
【請求項１６】
指令局装置から複数の戸別受信機へ防災情報を送信し、前記複数の戸別受信機はそれぞれ受信した前記防災情報を携帯通信端末へ配信する防災情報配信システムに用いる携帯通信端末であって、
前記戸別受信機により送信された前記防災情報を、近距離範囲内で受信する近距離受信手段と、
受信した前記防災情報をメモリにダウンロードするダウンロード手段と、
ダウンロードした前記防災情報を表示する表示手段と
を有することを特徴とする携帯通信端末。
【請求項１７】
前記近距離受信手段は、前記戸別受信機の赤外線発光素子から送信された、前記防災情報で変調された赤外線を受光して前記防災情報を得る赤外線受光部であることを特徴とする請求項１６記載の携帯通信端末。
【発明の詳細な説明】
【技術分野】
【０００１】
本発明は防災情報配信方法、防災情報配信システム並びにそれに用いる戸別受信機及び携帯通信端末に係り、特に市町村の役場等に置かれた戸別受信機に受信された防災情報を配信する防災情報配信方法、防災情報配信システム並びにそれに用いる戸別受信機及び携帯通信端末に関する。
【背景技術】
【０００２】
従来より、防災情報を遠隔地にある受信機へ配信する防災情報配信システムが知られている（例えば、特許文献１、２参照）。図５は特許文献１記載の従来の防災情報配信システムの一例のブロック図を示す。同図に示す防災情報配信システム１００では、ユーザが情報端末装置１０６から防災情報のデータ取得、変更、登録などの要求をすると、近距離無線通信により無線通信端末１０３がその要求を受信し、それを制御局・基地局１０１、無線通信端末１０２を介して防災書庫システムのデータ入出力装置１０４へ送信され、データ入出力装置１０４はこの要求を受信すると防災関連データ書庫１０７を操作して必要な応答データを受け取り、その応答データを近距離無線通信により無線通信端末１０２へ送信する。
【０００３】
無線通信端末１０２は受信した応答データを、制御局・基地局１０１を介して無線通信端末１０３へ送信し、無線通信端末１０３が応答データを近距離無線通信により情報端末装置１０６へ送信する。情報端末装置１０６は、受信した応答データをユーザへ音あるいは表示で知らせる。これにより、ユーザは防災関連データ書庫システムの防災情報のデータを、防災データ書庫システムから離れた場所で必要とする場合（例えば、公園等に設置してある防災用備蓄倉庫の保守点検、戸外に設置してある消火器の保守点検など）でも、リアルタイムに防災情報のデータを取得できる。
【０００４】
また、特許文献２記載の従来のシステムは、車両搭乗中に交通事故や急病などの緊急事態が発生した場合、車両内にある緊急通報連絡手段を緊急通報システム端末機器から取り外して一般の携帯電話と同様に車外で使用できるようにするため、緊急通報連絡手段が車両に搭載されている緊急通報システム端末機器に接続されていない場合には、その車両の発進を禁止する手段を有する。また、特許文献２には緊急通報連絡手段が接続されていないことを記録した履歴などを外部へ取り出す時には赤外線情報などを用いることが記載されている。
【０００５】
【特許文献１】特開２００３−２０８６８１号公報
【特許文献２】特開２０００−４９９７５号公報
【発明の開示】
【発明が解決しようとする課題】
【０００６】
しかしながら、特許文献１記載の従来の防災情報配信システムは、ユーザが携帯する情報端末装置１０６に対して防災関連データ書庫１０７にある防災関連データを、ユーザが要求する時に配信するものであり、防災関連データ書庫１０７には常に防災関連データが格納されているものであるため、市町村の役場等に置かれた指令局装置から各家庭の戸別受信機に配信された防災情報に基づいて防災活動を行う防災システムには適用できない。また、特許文献１記載の従来の防災情報配信システムにおける情報端末装置１０６を携帯するユーザは特定の限られた者であり、各家庭の戸別受信機のような広範囲の受信対象に対して防災情報を配信するものではない。
【０００７】
同様に、特許文献２記載の従来のシステムは、車両内にある緊急通報連絡手段を緊急通報システム端末機器から取り外して一般の携帯電話と同様に車外で使用できるようにするものであり、市町村の役場等に置かれた指令局装置から戸別受信機に防災情報を配信する防災情報配信システムには適用できない。また、特許文献２記載の従来のシステムでは、あくまでもローカルのデータをダウンロードする方法が開示されているに過ぎず、上位装置からのデータのダウンロード方法については開示がない。
【０００８】
更に、市町村の役場等に置かれた指令局装置から戸別受信機に防災情報を配信する上記の防災情報配信システムでは、災害発生の際に正確な防災情報を受け側に伝達する必要があり、災害の際の活動にはその防災情報をもって直ちに屋外に出動する必要があるため、従来は戸別受信機に付属の高価なファクシミリ装置あるいはデータ表示器を用いて防災情報を提供する必要があり、従って防災情報配信システムが高価であるという問題がある。
【０００９】
本発明は上記の点に鑑みなされたもので、安価な構成により市町村の役場等に置かれた戸別受信機に受信された防災情報を配信し得る防災情報配信方法、防災情報配信システム並びにそれに用いる戸別受信機及び携帯通信端末を提供することを目的とする。
【００１０】
また、本発明の他の目的は、上位装置からの防災情報のダウンロードが可能な防災情報配信方法、防災情報配信システム並びにそれに用いる戸別受信機及び携帯通信端末を提供することにある。
【課題を解決するための手段】
【００１１】
上記の目的を達成するため、本発明の防災情報配信方法は、上位装置から複数の受信機へ防災情報を送信し、複数の受信機はそれぞれ受信した防災情報を携帯通信端末へ配信する防災情報配信方法であって、指令局装置から送信された防災情報を複数の受信機がそれぞれ受信する第１のステップと、受信機が受信した防災情報を携帯通信端末へ近距離送信する第２のステップと、携帯通信端末が、防災情報を近距離受信する第３のステップと、携帯通信端末が、受信した防災情報をメモリにダウンロードする第４のステップと、第４のステップでダウンロードした防災情報を携帯通信端末の表示部に表示する第５のステップとを含むことを特徴とする。
【００１２】
この発明では、指令局装置から送信された防災情報を受信機が受信し、その受信機が受信防災情報を携帯通信端末へ近距離送信することにより、受信防災情報を携帯通信端末にダウンロードさせることができる。
【００１３】
また、上記の目的を達成するため、本発明の防災情報配信方法は、上記の第１のステップにより受信機が受信した防災情報を受信機内の記憶部に記憶する第６のステップと、記憶部に防災情報を記憶した時はユーザに防災情報受信を報知する第７のステップとを更に含み、第７のステップによる報知後に２のステップにより受信機が受信した防災情報を携帯通信端末へ近距離送信することを特徴とする。この発明では、防災情報を受信機が受信して記憶したときには、報知手段によりユーザにそのことを報知することができる。
【００１４】
また、上記の目的を達成するため、本発明の防災情報配信方法は、上記の第２のステップにより受信機が受信した防災情報を携帯通信端末へ近距離送信する前に、送信モード用のスイッチをオンとする第８のステップを更に含むことを特徴とする。この発明では、送信モード用のスイッチがオンされることにより、防災情報を携帯通信端末へ近距離送信の開始準備ができる。
【００１５】
また、上記の目的を達成するため、本発明の防災情報配信方法は、上記の第２のステップは、防災情報で変調された赤外線を発光する処理を行い、第３のステップは、第２のステップで受信機が送信した赤外線を受光して防災情報を得ることを特徴とする。この発明では、赤外線を用いて防災情報を受信機から携帯通信端末へ送信することができる。
【００１６】
ここで、上記の上位装置は市町村役場に設置された指令局装置であり、上記の複数の受信機は、指令局装置が設置された市町村の各家庭に設置された戸別受信機であることを特徴とする。
【００１７】
また、上記の目的を達成するため、本発明の防災情報配信システムは、上位装置から複数の受信機へ防災情報を送信し、複数の受信機はそれぞれ受信した防災情報を携帯通信端末へ配信する防災情報配信システムであって、受信機は、指令局装置から送信された防災情報を受信する受信手段と、受信した防災情報を近距離範囲内で送信する近距離送信手段とを有し、携帯通信端末は、受信機により送信された防災情報を、近距離範囲内で受信する近距離受信手段と、受信した防災情報をメモリにダウンロードするダウンロード手段と、ダウンロードした防災情報を表示する表示手段とを有することを特徴とする。
【００１８】
この発明では、指令局装置から送信された防災情報を受信機が受信し、その受信機が受信防災情報を携帯通信端末へ近距離送信することにより、受信防災情報を携帯通信端末にダウンロードさせることができる。
【００１９】
また、上記の目的を達成するため、本発明の防災情報配信システムは、上記の受信機が、受信手段により受信した防災情報を記憶する記憶手段と、記憶手段に受信した防災情報を記憶した時はユーザに防災情報受信を報知する報知手段とを更に有することを特徴とする。この発明では、防災情報を受信機が受信して記憶したときには、報知手段によりユーザにそのことを報知することができる。
【００２０】
また、上記の目的を達成するため、本発明の防災情報配信システムは、上記の受信機が、携帯通信端末に対して防災情報を近距離送信するときにオンとされる送信モード用のスイッチを更に有することを特徴とする。
【００２１】
また、上記の目的を達成するため、本発明の防災情報配信システムは、上記の受信機が、近距離送信手段として防災情報で変調された赤外線を発光する赤外線発光素子を有し、携帯通信端末は、近距離受信手段として赤外線発光素子から送信された赤外線を受光して防災情報を得る赤外線受光部を有することを特徴とする。この発明では、赤外線を用いて防災情報を受信機から携帯通信端末へ送信することができる。
【００２２】
ここで、上記の防災情報配信システムにおける上位装置は市町村役場に設置された指令局装置であり、上記の複数の受信機は、指令局装置が設置された市町村の各家庭に設置された戸別受信機であることを特徴とする。
【００２３】
また、上記の目的を達成するため、本発明の戸別受信機は、指令局装置から複数の戸別受信機へ防災情報を送信し、複数の戸別受信機はそれぞれ受信した防災情報を携帯通信端末へ配信する防災情報配信システムに用いる戸別受信機であって、指令局装置から送信された防災情報を受信する受信手段と、受信した防災情報を近距離範囲内で送信する近距離送信手段とを有することを特徴とする。この発明では、指令局装置から送信された防災情報を戸別受信機が受信し、その戸別受信機が受信防災情報を携帯通信端末へ近距離送信することにより、受信防災情報を携帯通信端末にダウンロードさせることができる。
【００２４】
また、上記の目的を達成するため、本発明の戸別受信機は、受信手段により受信した防災情報を記憶する記憶手段と、記憶手段に受信した防災情報を記憶した時はユーザに防災情報受信を報知する報知手段とを更に有することを特徴とする。この発明では、防災情報を戸別受信機が受信して記憶したときには、報知手段によりユーザにそのことを報知することができる。
【００２５】
また、上記の目的を達成するため、本発明の戸別受信機は、携帯通信端末に対して防災情報を近距離送信するときにオンとされる送信モード用のスイッチを更に有することを特徴とする。
【００２６】
また、上記の目的を達成するため、本発明の戸別受信機は、上記の近距離送信手段は、防災情報で変調された赤外線を発光する赤外線発光素子であることを特徴とする。この発明では、赤外線を用いて防災情報を送信することができる。
【００２７】
また、上記の目的を達成するため、本発明の戸別受信機は、赤外線発光素子が、戸別受信機のイヤホンジャックに挿着されることにより、戸別受信機と接続されることを特徴とする。この発明では、赤外線発光素子と戸別受信機本体との接続が簡単にできる。
【００２８】
更に、上記の目的を達成するため、本発明の携帯通信端末は、指令局装置から複数の戸別受信機へ防災情報を送信し、複数の戸別受信機はそれぞれ受信した防災情報を携帯通信端末へ配信する防災情報配信システムに用いる携帯通信端末であって、戸別受信機により送信された防災情報を、近距離範囲内で受信する近距離受信手段と、受信した防災情報をメモリにダウンロードするダウンロード手段と、ダウンロードした防災情報を表示する表示手段とを有することを特徴とする。この発明では、戸別受信機が受信した防災情報を、携帯通信端末が受信することができる。
【００２９】
更にまた、上記の目的を達成するため、本発明の携帯通信端末は、上記の近距離受信手段は、戸別受信機の赤外線発光素子から送信された、防災情報で変調された赤外線を受光して防災情報を得る赤外線受光部であることを特徴とする。この発明では、戸別受信機から赤外線を用いて送信された防災情報を受信することができる。
【発明の効果】
【００３０】
本発明によれば、指令局装置から送信された防災情報を戸別受信機が受信し、その戸別受信機が受信防災情報を携帯通信端末へ近距離送信することにより、受信防災情報を携帯通信端末にダウンロードさせることができるため、戸別受信機の受信内容を見るために、ファクシミリ装置やデータ表示器等の高価な外部装置を不要にでき、よって、携帯通信端末を用いた安価な構成で、容易に防災情報の受信確認等ができる。
【００３１】
また、本発明によれば、上位装置から戸別受信機が受信した防災情報を携帯通信端末にダウンロードさせるようにしたため、上位装置からダウンロードした防災情報を自由に持ち歩くことができる。
【発明を実施するための最良の形態】
【００３２】
次に、本発明を実施するための最良の形態について図面と共に説明する。図１は本発明になる防災情報配信システムの一実施の形態のブロック図を示す。同図において、本実施の形態の防災情報配信システムは、指令局装置１０、戸別受信機２０及び携帯通信端末の一例としての携帯電話３０からなる。
【００３３】
市町村の役場等に備えられた指令局装置１０と、当市町村の各家庭に配置された防災用戸別受信機２０とは互いに無線通信可能な構成であり、所謂固定系防災システムを構成している。指令局装置１０は、操作卓１１、無線送信装置１２及びアンテナ１３を含んで構成されており、災害発生時には指令局装置１０内の操作卓１１から入力されたベースバンド帯の防災情報が、無線送信装置１２により所定の信号形態の送信信号に変換された後、アンテナ１３から戸別受信機２０にのみ防災情報が送信される。また、指令局装置１０からは屋外拡声装置（例えば、公園や公民館などに設置）へ音声データを送信して防災情報を音声により拡声させる。また、屋外拡声装置により市町村役場からのお知らせや定時のチャイムを音声で知らせる事も行われる。
【００３４】
戸別受信機２０は、受信用アンテナ２１、受信機２２、メモリ２３、制御部２４、スイッチ２５、ランプ２６及び赤外線発光素子２７を含んで構成されている。受信機２２は受信用アンテナ２１を介して前記指令局装置１０から送信された防災情報の送信信号を受信してベースバンド帯の防災情報に変換する。メモリ２３は、受信機２２で受信された防災情報のデータを蓄積する。制御部２４は、この戸別受信機２０を統括的に制御する回路で、メモリ２３に予め格納されているプログラムに従い、後述する防災情報転送制御を行うと共に、スイッチ２５のオン／オフの検出、ランプ２６の点灯／消灯制御、赤外線発光素子２７の駆動制御、メモリ２３の読み出し／書き込み制御などを行う。
【００３５】
スイッチ２５は、防災情報のデータを携帯電話３０にダウンロードする際にオンとされる。ランプ２６はメモリ２３に防災情報のデータが蓄積されているときに点灯されて、データ蓄積をユーザに知らせる。赤外線発光素子２７は、赤外線により防災情報のデータを送信する。赤外線発光素子２７は、例えば図２に示すように、戸別受信機２０が標準で有しているイヤホンジャック２８に挿着されることにより、簡単に接続可能とされている。なお、戸別受信機２０本体には、イヤホンジャック２８に何が接続されているか予め認識させておく。
【００３６】
また、図１において、携帯電話３０は、赤外線受光部３１を有しており、赤外線発光素子２７からの赤外線を近距離で受信できる構成とされている。従って、携帯電話３０は戸別受信機２０から赤外線により近距離送信された情報を受信可能な構成とされている。
【００３７】
図３は本発明システムで用いる携帯通信端末である携帯電話３０の一実施の形態のブロック図を示す。同図中、図１と同一構成部分には同一符号を付してある。この携帯電話３０は赤外線受光部３１を備える点に特徴がある。図３において、携帯電話３０は、その筐体表面に、赤外線受光部３１と、各種の画像を表示する表示部３２と、数字、文字などの各種の情報を入力したり、各種の操作のための入力部３６と、受話音声や着信音などを発音するスピーカ４１と、送話音声を収音するマイク４２とが設けられている。
【００３８】
また、携帯電話３０の筐体内には、携帯電話３０を統括的に制御する制御部３３と、表示部３２を駆動するための表示駆動部３４と、プログラムや電話帳データのほか、防災情報を記憶する記憶部３５と、アンテナ３７を介して最寄りの基地局との間で無線通信する無線部３８と、送信信号及び受信信号の信号処理を行う信号処理部３９と、スピーカ４１に供給する受話音声信号などを処理し、またマイク４２により音響−電気変換して得られた送話音声信号を処理する音声処理部４０などが設けられている。
【００３９】
この携帯電話３０の通常の音声通話時の動作は従来と同じであり、また本発明とは直接の関係はないので説明を省略する。この携帯電話３０は、フォトダイオード等の赤外線受光素子で構成された赤外線受光部３１により、戸別受信機２０から赤外線で送信された防災情報を受光して電気信号に変換し、得られた防災情報のデータを制御部３３を介して記憶部３５にダウンロードし、また、ダウンロードした防災情報を表示駆動部３４を介して表示部３２に供給し表示する。
【００４０】
次に、本実施の形態の動作について、図４のフローチャートと共に説明する。災害発生時に指令局装置１０のオペレータが操作卓１１を操作して発生した災害に関する防災情報を入力すると、その防災情報のデータが無線送信装置１２において、ベースバンド帯から所定の周波数帯域で所定の信号形態の送信信号に変換された後、アンテナ１３より送信される。この防災情報の送信信号は、予め登録されている戸別受信機２０の受信アンテナ２１を介して受信機２２により受信される（ステップＳ１）。
【００４１】
制御部２４は受信機２２により防災情報が受信されたことを検出すると、受信機２２により復調されたベースバンド帯の防災情報をメモリ２３に蓄積させる（ステップＳ２）。また、制御部２４はメモリ２３に防災情報のデータを蓄積させると、ランプ２６を点灯する（ステップＳ３）。戸別受信機２０のユーザはこのランプ２６の点灯により、戸別受信機２０に防災情報が受信されてメモリ２３に蓄積されたことを知ることができる。
【００４２】
そこで、ユーザはこのランプ２６が点灯していることを認識すると、自分の携帯電話３０を赤外線受光可能な赤外線モードに切り替え（ステップＳ４）、更に携帯電話３０を赤外線通信可能な距離範囲内に入るよう、赤外線発光素子２７に近付けてスイッチ２５をオンする（ステップＳ５）。制御部２４はこのスイッチ２５のオンを検出すると、メモリ２３に蓄積されている防災情報のデータを読み出して赤外線発光素子２７に供給し、赤外線発光素子２７が送信する赤外線を防災情報のデータで変調させて送信させる。
【００４３】
この赤外線発光素子２７から赤外線で送信された防災情報のデータは、携帯電話３０の赤外線受光部３１で受信されて、図３に示した携帯電話３０内の記憶部３５に制御部３３の制御の下でダウンロードされる（ステップＳ６）。携帯電話３０の記憶部３５にダウンロードされた防災情報のデータは、表示駆動部３４により表示に適した信号に変換された後、表示部３２に供給されて表示される。
【００４４】
従って、本実施の形態によれば、ファクシミリ装置やデータ表示器等の高価な装置を使用しなくても、広く普及している携帯電話３０を、赤外線受光部３１を備える構成とすることで、容易に防災情報を取得する情報端末として使用することができ、災害発生時に防災活動を行うユーザが防災情報が格納されている携帯電話３０を持って屋外に出て自由に持ち歩くことができる。
【００４５】
なお、本発明は以上の実施の形態に限定されるものではなく、例えば、携帯電話３０と戸別受信機２０との間の通信は、ブルーツース(bluetooth)などの近距離無線通信や、携帯電話３０が非接触ＩＣを備えた構成のものである場合は、戸別受信機２０に非接触ＩＣリーダ／ライタを備えることでそれらの間で近距離通信させることも可能である。また、携帯電話以外の情報端末、簡易型携帯電話機などにも適用可能である。また、上記の実施の形態では、戸別受信機２０はランプ２６の点灯により防災情報の受信をユーザに報知するようにしたが、音声により、あるいは着信音などの鳴動により報知することも可能であり、更には表示部により画像表示で報知することも可能である。
【図面の簡単な説明】
【００４６】
【図１】本発明システムの一実施の形態のブロック図である。
【図２】図１中の赤外線発光素子と戸別受信機との接続方法に説明図である。
【図３】本発明の携帯通信端末の一実施の形態のブロック図である。
【図４】本発明方法の一実施の形態のフローチャートである。
【図５】従来システムの一例の構成図である。
【符号の説明】
【００４７】
１０  指令局装置
１１  操作卓
１２  無線送信装置
２０  防災用戸別受信機
２２  受信機
２３  メモリ
２４  制御部
２５  スイッチ
２６  ランプ
２７  赤外線発光素子
２８  イヤホンジャック
３０  赤外線受光部を有する携帯電話
３１  赤外線受光部
【図１】
2006059010.tif 000003
【図２】
2006059010.tif 000004
【図３】
2006059010.tif 000005
【図４】
2006059010.tif 000006
【図５】
2006059010.tif 000007